(57)【要約】【課題】金属板を成形して前面基部と、その一端に差込部を持ち、他端部に嵌合部と釘打部とを持つ長尺の建築用パネルの、長手方向に接続する接続用部材を省いて、接続可能な建築用パネルを得る。【解決手段】建築用パネルは、金属板を成形して、壁面を構成する前面基部と、その前面基部の一側端を折り曲げた差込側と、更に前面基部側に折り曲げた差込折片とを持ち、その前面基部の他側端を折り曲げた嵌合側と、更に前面基部側に折り曲げた嵌合折片とを持ち、その長手方向の端部の少なくとも一方において、その差込折片と嵌合折片の金属板を、それぞれ、所定長さ分切り欠いた建築用パネルとする。【選択図】            図１
2004251086.tif 000002
【特許請求の範囲】
【請求項１】
金属板を成形して、壁面を構成する前面基部と、その前面基部の一側端を折り曲げた差込側と、更に前面基部側に折り曲げた差込折片とを持ち、その前面基部の他側端を折り曲げた嵌合側と、更に前面基部側に折り曲げた嵌合折片とを持つ長尺の建築用パネルの、その長手方向の端部の少なくとも一方において、その差込折片と嵌合折片の金属板を、それぞれ、所定長さ分切り欠いた建築用パネル。
【請求項２】
前記の、所定長さ分切り欠いた残りの金属板の少なくとも一部を、その板厚程度クランク状に折り曲げた請求項１記載の建築用パネル。
【請求項３】
前面基部側と差込折片との間と、前面基部側と嵌合折片との間の、少なくとも一方に、裏面紙の側端を挿入し、その間を裏打材により充填し、その差込折片と嵌合折片の金属板を、それぞれ、ほぼ切り欠いた所定長さ分について、裏面紙と裏打材を、剥がしたか、あるいは、欠いた請求項１あるいは請求項２記載の建築用パネル。
【請求項４】
前記の前面基部が、ほぼ平坦で細長い前面部と、その前面部から裏面側に凹んだ細長い溝部とから構成する請求項１から請求項３記載の建築用パネル。
【発明の詳細な説明】
【０００１】
【発明の属する技術分野】
この発明は、金属板を成形して前面基部と、その一端に差込部を持ち、他端部に嵌合部と釘打部とを持つ長尺の建築用パネルの、長手方向に接続する建築用パネルに関する。
【０００２】
【従来の技術】
従来、金属板を成形して前面基部と、その一端に差込部を持ち、他端部に嵌合部と釘打部とを持つ長尺の建築用パネルには、特開平１−１３７０５６号公報に示す様な技術が知られている。
【０００３】
【発明が解決しようとする課題】
従来の技術には、長尺の建築用パネルを長手方向に接続する為には、接続用部材を間に挟む為、次の問題がある。
ａ．建築用パネルの長手方向の意匠上の連続性を損なう。
【０００４】
【課題を解決するための手段】
この発明による建築用パネルは、金属板を成形して、壁面を構成する前面基部と、その前面基部の一側端を折り曲げた差込側と、更に前面基部側に折り曲げた差込折片とを持ち、その前面基部の他側端を折り曲げた嵌合側と、更に前面基部側に折り曲げた嵌合折片とを持ち、その長手方向の端部の少なくとも一方において、その差込折片と嵌合折片の金属板を、それぞれ、所定長さ分切り欠いた建築用パネルとする。
【０００５】
【発明の実施の形態】
Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板、
【０００６】
Ｂ．この発明に使用される釘打ち等の固定手段は、
ａ．次に代表される、固定用具を使用する。
イ．釘
ロ．タッピングビス
ハ．ホッチキス
ニ．木ネジ
ホ．ポップリベット等
【０００７】
Ｃ．この発明に使用される裏面材は、
ａ．次に代表される発泡性樹脂による裏打材に、
イ．硬質発泡ウレタン樹脂
ロ．硬質発泡ヌレート樹脂
ハ．発泡フェノール樹脂
ニ．発泡スチレン樹脂等
ｂ．次に代表される裏面紙を積層している。
イ．はり合わせアルミニウム箔
ロ．スチールペーパー
ハ．ポリエチコートクラフト紙
ニ．アルミ蒸着紙
ホ．合成樹脂シート等
【０００８】
【実施例】
発明の実施例について、次の、実施例１、実施例２、実施例３、実施例４、及び実施例５により、図面を参照して説明する。
【０００９】
実施例１
図１，図２，図３，図４，及び図５は、この発明の実施例１を示すものである。
【００１０】
Ａ．図１，図２，及び図３に示す、この発明の実施例１においての建築用パネル１は、
ａ．金属板４による表面材１ａを成形して、
イ．ほぼ平坦で細長い前面部１ｃと、
ロ．その幅で裏面側にコの字形に折り曲げた、溝部１ｄとを、
ハ．交互に複数構成し、その両側に前面部１ｃを設けた前面基部１ｂとし、
ｂ．その前面基部１ｂの一側端を、
イ．裏面側にＬ字形に折り曲げて、差込側面２ｆを形成し、
ロ．その差込側面２ｆをＬ字形に表面側に折り曲げて、差込底面２ｄを形成し、
ハ．その差込底面２ｄを略Ｕ字形に裏面側に折り返し、差込底端２ｃと、それに連なる差込折片２ｂとを形成し、
ニ．それらの差込底面２ｄと、差込底端２ｃと、差込折片２ｂとにより、裏面側に開口する差込底溝２ｅを形成し、
ホ．前記の差込折片２ｂをＵ字形に表面側に折り返し、その先端を裏面側に折り狭めた差込片２ａを形成し、
ｃ．また、その前面基部１ｂの他側端を、
イ．裏面側にＬ字形に折り曲げて、嵌合側面３ｇを形成し、
ロ．その嵌合側面３ｇをＬ字形に表面側に折り曲げて、嵌合底面３ｅを形成し、
ハ．その嵌合底面３ｅを略Ｕ字形に裏面側に折り返し、嵌合底端３ｄと、それに連なる嵌合折片３ｂとを形成し、
ニ．それらの嵌合底面３ｅと、嵌合底端３ｄと、嵌合折片３ｂとにより、裏面側に開口する嵌合底溝３ｆを形成し、
ホ．前記の嵌合折片３ｂをＵ字形に表面側に折り返し、その先端を表面側に折り狭めた釘打片３ａを形成し、
ヘ．嵌合折片３ｂと釘打片３ａから嵌合溝３ｃを構成し、
ｄ．前記、前面基部１ｂの長手方向の一端部を、
イ．その前面部１ｃを、表面材１ａの板厚程度のクランク状に裏面側に折り曲げて、面段差１ｅと、それに連なる着面部１ｇを形成し、
ロ．そして、その溝部１ｄを、表面材１ａの板厚程度のクランク状に裏面側に折り曲げて、溝段差１ｆと、それに連なる着溝部１ｈを形成し、
ｅ．そして、前記の差込側面２ｆ側の長手方向の、前記方向の端部を、
イ．その差込側面２ｆを、表面材１ａの板厚程度のクランク状に裏面側に折り曲げて、差込側段差２ｈと、それに連なる着差込側２ｊを形成し、
ロ．そして、その差込底面２ｄを、表面材１ａの板厚程度のクランク状に裏面側に折り曲げて、差込底段差２ｇと、それに連なる着差込底２ｉを形成し、
ハ．そして前記の、差込底端２ｃと、差込折片２ｂと、差込片２ａとに相当する部分は切り欠いてあり、
ｆ．そして、前記の嵌合側面３ｇ側の長手方向の、前記方向の端部を、
イ．その嵌合側面３ｇを、表面材１ａの板厚程度のクランク状に裏面側に折り曲げて、嵌合側段差３ｉと、それに連なる着嵌合側３ｋを形成し、
ロ．そして、その嵌合底面３ｅを、表面材１ａの板厚程度のクランク状に裏面側に折り曲げて、嵌合底段差３ｈと、それに連なる着嵌合底３ｊを形成し、
ハ．そして前記の、嵌合底端３ｄと、嵌合折片３ｂと、釘打片３ａとに相当する部分は切り欠いてあり、
ｇ．そして面段差１ｅと、溝段差１ｆと、差込側段差２ｈと、差込底段差２ｇと、嵌合側段差３ｉと、嵌合底段差３ｈとが連なり、
ｈ．そして前記、建築用パネル１の長手方向の他端部において、
イ．前記の、嵌合底端３ｄと、嵌合折片３ｂと、釘打片３ａとに相当する部分を切り欠き、
ロ．嵌合底面３ｅを覆嵌合底３ｌとして残し、前記の着嵌合底３ｊとほぼ同程度の長さ以上とし、
ｉ．そして、その成形した表面材１ａの裏面側に、
イ．差込底溝２ｅと嵌合底溝３ｆとに、裏面紙１ｌの両側端を挿入し、
ロ．その裏面紙１ｌにより覆われた発泡合成樹脂５による、裏打材１ｋを形成し、
ハ．覆嵌合底３ｌの長さにほぼ合わせて、裏打材１ｋと裏面紙１ｌとを剥がして、あるいは、欠いて、
ニ．前面部１ｃを覆面部１ｉとして残し、
ホ．溝部１ｄを覆溝部１ｊとして残し、
ヘ．差込側面２ｆを覆差込側２ｌとして残し、
ト．差込底面２ｄを覆差込底２ｋとして残し、
チ．差込底端２ｃと、差込折片２ｂと、差込片２ａはそのまま残し、
リ．嵌合側面３ｇを覆嵌合側３ｍとして残し、
ｊ．そして前記の、差込側面２ｆと、差込底面２ｄと、差込底端２ｃと、差込折片２ｂと、差込底溝２ｅと、差込片２ａと、差込側段差２ｈと、着差込側２ｊと、差込底段差２ｇと、着差込底２ｉと、覆差込底２ｋと、覆差込側２ｌとにより差込部２を構成し、
ｋ．そして前記の、嵌合側面３ｇと、嵌合底面３ｅと、嵌合底端３ｄと、嵌合折片３ｂと、嵌合底溝３ｆと、釘打片３ａと、嵌合側段差３ｉと、着嵌合側３ｋと、嵌合底段差３ｈと、着嵌合底３ｊとにより釘打部３を構成し、
ｌ．そして前記の、着面部１ｇと、着溝部１ｈと、着差込底２ｉと、着差込側２ｊと、着嵌合底３ｊと、着嵌合側３ｋとにより、着挿部１ｎを構成し、
ｍ．そして前記の、覆面部１ｉと、覆溝部１ｊと、覆差込底２ｋと、覆差込側２ｌと、覆嵌合底３ｌと、覆嵌合側３ｍとにより、覆嵌部１ｏを構成し、
ｎ．そして前記の、着挿部１ｎにおいての、表面材１ａと、裏打材１ｋと、裏面紙１ｌとの端部は、及び、覆嵌部１ｏにおいての、表面材１ａと、裏打材１ｋと、裏面紙１ｌとの端部は、切断端１ｍを構成する。
【００１１】
Ｂ．図４と図５に示す、実施例１においての、建築用パネル１の施工は、
ａ．次のように固定された建築用パネル１に、
イ．図示しない固定されたスタート部材に、建築用パネル１の差込部２を取り付けてるか、
ロ．あるいは、建築用パネル１の差込部２の近辺を釘打ち等により取り付けるかし、
ハ．その建築用パネル１の釘打片３ａを釘打ち等により固定し、
ｂ．その固定した建築用パネル１の着挿部１ｎに、
イ．他の建築用パネル１の覆嵌部１ｏを被せて、
ロ．また、固定した建築用パネル１の着差込底２ｉを、後者の建築用パネル１の差込底溝２ｅに挿入し、
ハ．後者の建築用パネル１の釘打片３ａを釘打ち等により固定し、
ニ．前記を繰り返して、建築用パネル１の長手方向の壁面を、複数の建築用パネル１により施工し、
ｃ．次に、その施工された複数の建築用パネル１に、
イ．その固定した建築用パネル１の嵌合溝３ｃに、後者の建築用パネル１の差込片２ａを差し込み、
ロ．その建築用パネル１の釘打片３ａを釘打ち等により固定し、
ハ．その固定した建築用パネル１の着挿部１ｎに、
ニ．他の建築用パネル１の覆嵌部１ｏを被せて、
ホ．また、固定した建築用パネル１の着差込底２ｉを、後者の建築用パネル１の差込底溝２ｅに挿入し、
ヘ．後者の建築用パネル１の釘打片３ａを釘打ち等により固定し、
ト．前記を繰り返して、建築用パネル１の幅方向の壁面を、複数の建築用パネル１により施工する。
【００１２】
実施例２
図６，図７，図８，図９，及び図１０は、この発明の実施例２を示すものである。
【００１３】
Ａ．図６，図７，及び図８に示す、この発明の実施例２においての建築用パネル１は、
ａ．金属板４による表面材１ａを成形して、
イ．ほぼ平坦で細長い前面部１ｃと、
ロ．その幅の上辺を持つ底辺を欠く等脚台形に、裏面側に折り曲げた、溝部１ｄとを、
ハ．交互に複数構成し、その両側に前面部１ｃを設けた前面基部１ｂとし、
ｂ．その前面基部１ｂの一側端を、
イ．くの字形に裏面側に折り曲げて、差込側面２ｆを形成し、
ロ．その差込側面２ｆをくの字形に表面側に折り曲げて、差込底面２ｄを形成し、
ハ．その差込底面２ｄを略Ｕ字形に裏面側に折り返し、差込底端２ｃと、それに連なる差込折片２ｂとを形成し、
ニ．それらの差込底面２ｄと、差込底端２ｃと、差込折片２ｂとにより、裏面側に開口する差込底溝２ｅを形成し、
ホ．前記の差込折片２ｂをＵ字形に表面側に折り返し、その先端を裏面側に折り狭めた差込片２ａを形成し、
ｃ．また、その前面基部１ｂの他側端を、
イ．くの字形に裏面側に折り曲げて、裏面側に若干くの字形に、更に折り曲げた嵌合側面３ｇを形成し、
ロ．その嵌合側面３ｇをＬ字形に表面側に折り曲げて、嵌合底面３ｅを形成し、
ハ．その嵌合底面３ｅを略Ｕ字形に裏面側に折り返し、嵌合底端３ｄと、それに連なる嵌合折片３ｂとを形成し、
ニ．それらの嵌合底面３ｅと、嵌合底端３ｄと、嵌合折片３ｂとにより、裏面側に開口する嵌合底溝３ｆを形成し、
ホ．前記の嵌合折片３ｂをＵ字形に表面側に折り返し、その先端を表面側に折り狭めた釘打片３ａを形成し、
ヘ．嵌合折片３ｂと釘打片３ａから嵌合溝３ｃを構成し、
ｄ．前記、前面基部１ｂの長手方向の一端部を、
イ．その前面部１ｃを、表面材１ａの板厚程度のクランク状に裏面側に折り曲げて、面段差１ｅと、それに連なる着面部１ｇを形成し、
ロ．そして、その溝部１ｄを、表面材１ａの板厚程度のクランク状に裏面側に折り曲げて、溝段差１ｆと、それに連なる着溝部１ｈを形成し、
ｅ．そして、前記の差込側面２ｆ側の長手方向の、前記方向の端部を、
イ．その差込側面２ｆを、表面材１ａの板厚程度のクランク状に裏面側に折り曲げて、差込側段差２ｈと、それに連なる着差込側２ｊを形成し、
ロ．そして、その差込底面２ｄを、表面材１ａの板厚程度のクランク状に裏面側に折り曲げて、差込底段差２ｇと、それに連なる着差込底２ｉを形成し、
ハ．そして前記の、差込底端２ｃと、差込折片２ｂと、差込片２ａとに相当する部分は切り欠いてあり、
ｆ．そして、前記の嵌合側面３ｇ側の長手方向の、前記方向の端部を、
イ．その嵌合側面３ｇを、表面材１ａの板厚程度のクランク状に裏面側に折り曲げて、嵌合側段差３ｉと、それに連なる着嵌合側３ｋを形成し、
ロ．そして、その嵌合底面３ｅを、表面材１ａの板厚程度のクランク状に裏面側に折り曲げて、嵌合底段差３ｈと、それに連なる着嵌合底３ｊを形成し、
ハ．そして前記の、嵌合底端３ｄと、嵌合折片３ｂと、釘打片３ａとに相当する部分は切り欠いてあり、
ｇ．そして面段差１ｅと、溝段差１ｆと、差込側段差２ｈと、差込底段差２ｇと、嵌合側段差３ｉと、嵌合底段差３ｈとが連なり、
ｈ．そして前記、建築用パネル１の長手方向の他端部において、
イ．前記の、嵌合底端３ｄと、嵌合折片３ｂと、釘打片３ａとに相当する部分を切り欠き、
ロ．嵌合底面３ｅを覆嵌合底３ｌとして残し、前記の着嵌合底３ｊとほぼ同程度の長さ以上とし、
ｉ．そして、その成形した表面材１ａの裏面側に、
イ．差込底溝２ｅと嵌合底溝３ｆとに、裏面紙１ｌの両側端を挿入し、
ロ．その裏面紙１ｌにより覆われた発泡合成樹脂５による、裏打材１ｋを形成し、
ハ．覆嵌合底３ｌの長さにほぼ合わせて、裏打材１ｋと裏面紙１ｌとを剥がして、あるいは、欠いて、
ニ．前面部１ｃを覆面部１ｉとして残し、
ホ．溝部１ｄを覆溝部１ｊとして残し、
ヘ．差込側面２ｆを覆差込側２ｌとして残し、
ト．差込底面２ｄを覆差込底２ｋとして残し、
チ．差込底端２ｃと、差込折片２ｂと、差込片２ａはそのまま残し、
リ．嵌合側面３ｇを覆嵌合側３ｍとして残し、
ｊ．そして前記の、差込側面２ｆと、差込底面２ｄと、差込底端２ｃと、差込折片２ｂと、差込底溝２ｅと、差込片２ａと、差込側段差２ｈと、着差込側２ｊと、差込底段差２ｇと、着差込底２ｉと、覆差込底２ｋと、覆差込側２ｌとにより差込部２を構成し、
ｋ．そして前記の、嵌合側面３ｇと、嵌合底面３ｅと、嵌合底端３ｄと、嵌合折片３ｂと、嵌合底溝３ｆと、釘打片３ａと、嵌合側段差３ｉと、着嵌合側３ｋと、嵌合底段差３ｈと、着嵌合底３ｊと、覆嵌合底３ｌと、覆嵌合側３ｍとにより釘打部３を構成し、
ｌ．そして前記の、着面部１ｇと、着溝部１ｈと、着差込底２ｉと、着差込側２ｊと、着嵌合底３ｊと、着嵌合側３ｋとにより、着挿部１ｎを構成し、
ｍ．そして前記の、覆面部１ｉと、覆溝部１ｊと、覆差込底２ｋと、覆差込側２ｌと、覆嵌合底３ｌと、覆嵌合側３ｍとにより、覆嵌部１ｏを構成する。
ｎ．そして前記の、着挿部１ｎにおいての、表面材１ａと、裏打材１ｋと、裏面紙１ｌとの端部は、及び、覆嵌部１ｏにおいての、表面材１ａと、裏打材１ｋと、裏面紙１ｌとの端部は、切断端１ｍを構成する。
【００１４】
Ｂ．図９と図１０に示す、実施例２においての、建築用パネル１の施工は、実施例１とほぼ同様である。
【００１５】
実施例３
図１１，図１２，図１３，図１４，及び図１５は、この発明の実施例３を示すものである。
【００１６】
Ａ．図１１，図１２，及び図１３に示す、この発明の実施例３においての建築用パネル１は、
ａ．金属板４による表面材１ａを成形して、
イ．ほぼ平坦で細長い前面部１ｃと、
ロ．その幅の上辺を持つ底辺を欠く等脚台形に、裏面側に折り曲げた、溝部１ｄとを、
ハ．交互に複数構成し、その両側に前面部１ｃを設けた前面基部１ｂとし、
ｂ．その前面基部１ｂの一側端を、
イ．くの字形に裏面側に折り曲げて、差込側面２ｆを形成し、
ロ．その差込側面２ｆを鋭角的に裏面側に折り曲げて、差込底端２ｃと、それに連なる差込折片２ｂとを形成し、
ハ．それらの差込側面２ｆ、差込底端２ｃと、差込折片２ｂとにより、裏面側に開口する差込底溝２ｅを形成し、
ニ．前記の差込折片２ｂをＵ字形に表面側に折り返し、その先端を裏面側に折り狭めた差込片２ａを形成し、
ｃ．また、その前面基部１ｂの他側端を、
イ．くの字形に裏面側に折り曲げて、くの字形に表面側に更に折り曲げて、その先をＬ字形に裏面側に折り曲げた、嵌合側面３ｇを形成し、
ロ．その嵌合側面３ｇをＬ字形に表面側に折り曲げて、嵌合底面３ｅを形成し、
ハ．その嵌合底面３ｅを略Ｕ字形に裏面側に折り返し、嵌合底端３ｄと、それに連なる嵌合折片３ｂとを形成し、
ニ．それらの嵌合底面３ｅと、嵌合底端３ｄと、嵌合折片３ｂとにより、裏面側に開口する嵌合底溝３ｆを形成し、
ホ．前記の嵌合折片３ｂをＵ字形に表面側に折り返し、その先端を表面側に折り狭めた釘打片３ａを形成し、
ヘ．嵌合折片３ｂと釘打片３ａから嵌合溝３ｃを構成し、
ｄ．前記、前面基部１ｂの長手方向の一端部を、
イ．その前面部１ｃを、表面材１ａの板厚程度のクランク状に裏面側に折り曲げて、面段差１ｅと、それに連なる着面部１ｇを形成し、
ロ．そして、その溝部１ｄを、表面材１ａの板厚程度のクランク状に裏面側に折り曲げて、溝段差１ｆと、それに連なる着溝部１ｈを形成し、
ｅ．そして、前記の差込側面２ｆ側の長手方向の前記方向の端部を、
イ．その差込側面２ｆを、表面材１ａの板厚程度のクランク状に裏面側に折り曲げて、差込側段差２ｈと、それに連なる着差込側２ｊを形成し、
ロ．そして前記の、差込底端２ｃと、差込折片２ｂと、差込片２ａとに相当する部分は切り欠いてあり、
ｆ．そして、前記の嵌合側面３ｇ側の長手方向の、前記方向の端部を、
イ．その嵌合側面３ｇを、表面材１ａの板厚程度のクランク状に裏面側に折り曲げて、嵌合側段差３ｉと、それに連なる着嵌合側３ｋを形成し、
ロ．そして、その嵌合底面３ｅを、表面材１ａの板厚程度のクランク状に裏面側に折り曲げて、嵌合底段差３ｈと、それに連なる着嵌合底３ｊを形成し、
ハ．そして前記の、嵌合底端３ｄと、嵌合折片３ｂとに相当する部分は切り欠いてあり、
ｇ．そして面段差１ｅと、溝段差１ｆと、差込側段差２ｈと、嵌合側段差３ｉと、嵌合底段差３ｈとが連なり、
ｈ．そして前記、建築用パネル１の長手方向の他端部において、
イ．前記の、嵌合底端３ｄと、嵌合折片３ｂと、釘打片３ａとに相当する部分を切り欠き、
ロ．嵌合底面３ｅを覆嵌合底３ｌとして残し、前記の着嵌合底３ｊとほぼ同程度の長さ以上とし、
ｉ．そして、その成形した表面材１ａの裏面側に、
イ．差込底溝２ｅと嵌合底溝３ｆとに、裏面紙１ｌの両側端を挿入し、
ロ．その裏面紙１ｌにより覆われた発泡合成樹脂５による、裏打材１ｋを形成し、
ハ．覆嵌合底３１の長さにほぼ合わせて、裏打材１ｋと裏面紙１ｌとを剥がして、あるいは、欠いて、
ニ．前面部１ｃを覆面部１ｉとして残し、
ホ．溝部１ｄを覆溝部１ｊとして残し、
ヘ．差込側面２ｆを覆差込側２ｌとして残し、
ト．差込底端２ｃと、差込折片２ｂと、差込片２ａはそのまま残し、
チ．嵌合側面３ｇを覆嵌合側３ｍとして残し、
リ．また、着嵌合底３ｊ側の裏打材１ｋと裏面紙１ｌとを、着嵌合底３ｊの長さにほぼ合わせて剥がして、あるいは、欠いて、
ｊ．そして前記の、差込側面２ｆと、差込底端２ｃと、差込折片２ｂと、差込底溝２ｅと、差込片２ａと、差込側段差２ｈと、着差込側２ｊと、覆差込側２ｌとにより差込部２を構成し、
ｋ．そして前記の、嵌合側面３ｇと、嵌合底面３ｅと、嵌合底端３ｄと、嵌合折片３ｂと、嵌合底溝３ｆと、釘打片３ａと、嵌合側段差３ｉと、着嵌合側３ｋと、嵌合底段差３ｈと、着嵌合底３ｊと、覆嵌合底３ｌと、覆嵌合側３ｍとにより釘打部３を構成し、
ｌ．そして前記の、着面部１ｇと、着溝部１ｈと、着差込側２ｊと、着嵌合底３ｊと、着嵌合側３ｋとにより、着挿部１ｎを構成し、
ｍ．そして前記の、覆面部１ｉと、覆溝部１ｊと、覆差込側２ｌと、覆嵌合底３ｌと、覆嵌合側３ｍとにより、覆嵌部１ｏを構成する。
ｎ．そして前記の、着挿部１ｎにおいての、表面材１ａと、裏打材１ｋと、裏面紙１ｌとの端部は、及び、覆嵌部１ｏにおいての、表面材１ａと、裏打材１ｋと、裏面紙１ｌとの端部は、切断端１ｍを構成する。
【００１７】
Ｂ．図１４と図１５に示す、実施例３においての、建築用パネル１の施工は、
ａ．次のように固定された建築用パネル１に、
イ．図示しない固定されたスタート部材に、建築用パネル１の差込部２を取り付けてるか、
ロ．あるいは、建築用パネル１の差込部２の近辺を釘打ち等により取り付けるかし、
ハ．その建築用パネル１の釘打片３ａを釘打ち等により固定し、
ｂ．その固定した建築用パネル１の着挿部１ｎに、
イ．他の建築用パネル１の覆嵌部１ｏを被せて、
ロ．後者の建築用パネル１の釘打片３ａを釘打ち等により固定し、
ハ．前記を繰り返して、建築用パネル１の長手方向の壁面を、複数の建築用パネル１により施工し、
ｃ．次に、その施工された複数の建築用パネル１に、
イ．その固定した建築用パネル１の嵌合溝３ｃに、後者の建築用パネル１の差込片２ａを差し込み、
ロ．その建築用パネル１の釘打片３ａを釘打ち等により固定し、
ハ．その固定した建築用パネル１の着挿部１ｎに、
ニ．他の建築用パネル１の覆嵌部１ｏを被せて、
ホ．後者の建築用パネル１の釘打片３ａを釘打ち等により固定し、
ヘ．前記を繰り返して、建築用パネル１の幅方向の壁面を、複数の建築用パネル１により施工する。
【００１８】
実施例４
図１６，図１７，図１８，図１９，及び図２０は、この発明の実施例４を示すものである。
【００１９】
Ａ．図１６，図１７，及び図１８に示す、この発明の実施例４においての建築用パネル１は、
ａ．金属板４による表面材１ａを成形して、
イ．ほぼ平坦で細長い前面部１ｃと、
ロ．ほぼその幅の等辺を持つ底辺を欠く二等辺三角形に、裏面側に折り曲げた、溝部１ｄとを、
ハ．交互に複数構成し、その両側に前面部１ｃを設けた前面基部１ｂとし、
ｂ．その前面基部１ｂの一側端を、
イ．くの字形に裏面側に折り曲げて、差込側面２ｆを形成し、
ロ．その差込側面２ｆを鋭角的に裏面側に折り曲げて、差込底端２ｃと、それに連なる差込折片２ｂとを形成し、
ハ．それらの差込側面２ｆ、差込底端２ｃと、差込折片２ｂとにより、裏面側に開口する差込底溝２ｅを形成し、
ニ．前記の差込折片２ｂをＵ字形に表面側に折り返し、その先端を裏面側に折り狭めた差込片２ａを形成し、
ｃ．また、その前面基部１ｂの他側端を、
イ．くの字形に裏面側に折り曲げて、くの字形に裏面側に更に折り曲げて、嵌合側面３ｇを形成し、
ロ．その嵌合側面３ｇをＬ字形に表面側に折り曲げて、嵌合底面３ｅを形成し、
ハ．その嵌合底面３ｅを略Ｕ字形に裏面側に折り返し、嵌合底端３ｄと、それに連なる嵌合折片３ｂとを形成し、
ニ．それらの嵌合底面３ｅと、嵌合底端３ｄと、嵌合折片３ｂとにより、裏面側に開口する嵌合底溝３ｆを形成し、
ホ．前記の嵌合折片３ｂをＵ字形に表面側に折り返し、その先端を表面側に折り狭めた釘打片３ａを形成し、
ヘ．嵌合折片３ｂと釘打片３ａから嵌合溝３ｃを構成し、
ｄ．前記、前面基部１ｂの長手方向の一端部に、
イ．その前面部１ｃに連なる、着面部１ｇを形成し、
ロ．そして、その溝部１ｄに連なる、着溝部１ｈを形成し、
ｅ．そして、前記の差込側面２ｆ側の長手方向の一端部を、
イ．その差込側面２ｆの差込底端２ｃ側の面を、表面材１ａの板厚程度のクランク状に裏面側に折り曲げて、差込側段差２ｈを設け、その差込側段差２ｈより先端に、着差込側２ｊを形成し、
ロ．そして前記の、差込底端２ｃと、差込折片２ｂと、差込片２ａとに相当する部分は切り欠いてあり、
ｆ．そして、前記の嵌合側面３ｇ側の長手方向の、前記方向の端部を、
イ．その嵌合側面３ｇの嵌合底端３ｄ側の面を、表面材１ａの板厚程度のクランク状に裏面側に折り曲げて、嵌合側段差３ｉを設け、その嵌合側段差３ｉより先端に、着嵌合側３ｋを形成し、
ロ．そして、その嵌合底面３ｅに連なる、着嵌合底３ｊを形成し、
ハ．そして前記の、嵌合底端３ｄと、嵌合折片３ｂと、釘打片３ａとに相当する部分は切り欠いてあり、
ｇ．そして、差込側段差２ｈと、嵌合側段差３ｉとが長手方向の端部よりの位置がほぼ同一となり、
ｈ．そして前記、建築用パネル１の長手方向の他端部において、
イ．前記の、嵌合底端３ｄと、嵌合折片３ｂと、釘打片３ａとに相当する部分を切り欠き、
ロ．嵌合底面３ｅを覆嵌合底３ｌとして残し、前記の着嵌合底３ｊとほぼ同程度の長さ以上とし、
ｉ．そして、その成形した表面材１ａの裏面側に、
イ．差込底溝２ｅと嵌合底溝３ｆとに、裏面紙１ｌの両側端を挿入し、
ロ．その裏面紙１ｌにより覆われた発泡合成樹脂５による、裏打材１ｋを形成し、
ハ．覆嵌合底３ｌの長さにほぼ合わせて、裏打材１ｋと裏面紙１ｌとを剥がして、あるいは、欠いて、
ニ．前面部１ｃを覆面部１ｉとして残し、
ホ．溝部１ｄを覆溝部１ｊとして残し、
ヘ．差込側面２ｆを覆差込側２ｌとして残し、
ト．差込底端２ｃと、差込折片２ｂと、差込片２ａは切り欠き、
チ．嵌合側面３ｇを覆嵌合側３ｍとして残し、
ｊ．そして前記の、差込側面２ｆと、差込底端２ｃと、差込折片２ｂと、差込底溝２ｅと、差込片２ａと、差込側段差２ｈと、着差込側２ｊと、覆差込側２ｌとにより差込部２を構成し、
ｋ．そして前記の、嵌合側面３ｇと、嵌合底面３ｅと、嵌合底端３ｄと、嵌合折片３ｂと、嵌合底溝３ｆと、釘打片３ａと、嵌合側段差３ｉと、着嵌合側３ｋと、着嵌合底３ｊと、覆嵌合底３ｌと、覆嵌合側３ｍとにより、釘打部３を構成し、
ｌ．そして前記の、着面部１ｇと、着溝部１ｈと、着差込側２ｊと、着嵌合底３ｊと、着嵌合側３ｋとにより、着挿部１ｎを構成し、
ｍ．そして前記の、覆面部１ｉと、覆溝部１ｊと、覆差込側２ｌと、覆嵌合底３ｌと、覆嵌合側３ｍとにより、覆嵌部１ｏを構成する。
ｎ．そして前記の、着挿部１ｎにおいての、表面材１ａと、裏打材１ｋと、裏面紙１ｌとの端部は、及び、覆嵌部１ｏにおいての、表面材１ａと、裏打材１ｋと、裏面紙１ｌとの端部は、切断端１ｍを構成する。
【００２０】
Ｂ．図１９と図２０に示す、実施例４においての、建築用パネル１の施工は、実施例３とほぼ同様である。
【００２１】
実施例５
図２１，図２２，図２３，図２４，及び図２５は、この発明の実施例５を示すものである。
【００２２】
Ａ．図２１，図２２，及び図２３に示す、この発明の実施例５においての建築用パネル１は、
ａ．金属板４による表面材１ａを成形して、
イ．ほぼ平坦で細長い前面部１ｃと、
ロ．ほぼその幅の直径を持つ半円形に、裏面側に突起し折れ曲がった、溝部１ｄとを、
ハ．交互に複数構成し、その両側に前面部１ｃを設けた前面基部１ｂとし、
ｂ．その前面基部１ｂの一側端を、
イ．４分の１の円形に裏面側に突起し折れ曲がった、差込側面２ｆを形成し、
ロ．その差込側面２ｆを鋭角的に裏面側に折り曲げて、差込底端２ｃと、それに連なる差込折片２ｂとを形成し、
ハ．それらの差込側面２ｆ、差込底端２ｃと、差込折片２ｂとにより、裏面側に開口する差込底溝２ｅを形成し、
ニ．前記の差込折片２ｂをＵ字形に表面側に折り返し、その先端を裏面側に折り狭めた差込片２ａを形成し、
ｃ．また、その前面基部１ｂの他側端を、
イ．４分の１の円形に裏面側に突起し折れ曲がり、くの字形に裏面側に更に折り曲げて、嵌合側面３ｇを形成し、
ロ．その嵌合側面３ｇをＬ字形に表面側に折り曲げて、嵌合底面３ｅを形成し、
ハ．その嵌合底面３ｅを略Ｕ字形に裏面側に折り返し、嵌合底端３ｄと、それに連なる嵌合折片３ｂとを形成し、
ニ．それらの嵌合底面３ｅと、嵌合底端３ｄと、嵌合折片３ｂとにより、裏面側に開口する嵌合底溝３ｆを形成し、
ホ．前記の嵌合折片３ｂをＵ字形に表面側に折り返し、その先端を表面側に折り狭めた釘打片３ａを形成し、
ヘ．嵌合折片３ｂと釘打片３ａから嵌合溝３ｃを構成し、
ｄ．前記、前面基部１ｂの長手方向の一端部に、
イ．その前面部１ｃに連なる、着面部１ｇを形成し、
ロ．そして、その溝部１ｄの着面部１ｇ側の両角の面を、表面材１ａの板厚程度のクランク状に裏面側に折り曲げて、溝段差１ｆを設け、その溝段差１ｆより先端に、着溝部１ｈを形成し、
ｅ．そして、前記の差込側面２ｆ側の長手方向の一端部に、
イ．次の２種類の差込側段差２ｈを設け
○その差込側面２ｆの着面部１ｇ側の角の面を、前記の溝段差１ｆと同様に、表面材１ａの板厚程度のクランク状に裏面側に折り曲げた、差込側段差２ｈと、
○その差込側面２ｆの差込底端２ｃ側の面を、表面材１ａの板厚程度のクランク状に裏面側に折り曲げた、差込側段差２ｈとを設け、
ロ．その差込側段差２ｈより先端に、着差込側２ｊを形成し、
ハ．そして前記の、差込底端２ｃと、差込折片２ｂと、差込片２ａとに相当する部分は切り欠いてあり、
ｆ．そして、前記の嵌合側面３ｇ側の長手方向の、前記方向の端部に、
イ．次の２種類の嵌合側段差３ｉを設け
○その嵌合側面３ｇの着面部１ｇ側の角の面を、前記の溝段差１ｆと同様に、表面材１ａの板厚程度のクランク状に裏面側に折り曲げた、嵌合側段差３ｉと、
○その嵌合側面３ｇの嵌合底端３ｄ側の面を、表面材１ａの板厚程度のクランク状に裏面側に折り曲げて、嵌合側段差３ｉを設け、
ロ．その嵌合側段差３ｉより先端に、着嵌合側３ｋを形成し、
ハ．そして、その嵌合底面３ｅに連なる、着嵌合底３ｊを形成し、
ニ．そして前記の、嵌合底端３ｄと、嵌合折片３ｂと、釘打片３ａとに相当する部分は切り欠いてあり、
ｇ．そして、差込側段差２ｈと、嵌合側段差３ｉとが長手方向の端部よりの位置がほぼ同一となり、
ｈ．そして前記、建築用パネル１の長手方向の他端部において、
イ．前記の、嵌合底端３ｄと、嵌合折片３ｂと、釘打片３ａとに相当する部分を切り欠き、
ロ．嵌合底面３ｅを覆嵌合底３ｌとして残し、前記の着嵌合底３ｊとほぼ同程度の長さ以上とし、
ｉ．そして、その成形した表面材１ａの裏面側に、
イ．差込底溝２ｅと嵌合底溝３ｆとに、裏面紙１ｌの両側端を挿入し、
ロ．その裏面紙１ｌにより覆われた発泡合成樹脂５による、裏打材１ｋを形成し、
ハ．覆嵌合底３ｌの長さにほぼ合わせて、裏打材１ｋと裏面紙１ｌとを剥がして、あるいは、欠いて、
ニ．前面部１ｃを覆面部１ｉとして残し、
ホ．溝部１ｄを覆溝部１ｊとして残し、
ヘ．差込側面２ｆを覆差込側２ｌとして残し、
ト．差込底端２ｃと、差込折片２ｂと、差込片２ａは切り欠き、
チ．嵌合側面３ｇを覆嵌合側３ｍとして残し、
ｊ．そして前記の、差込側面２ｆと、差込底端２ｃと、差込折片２ｂと、差込底溝２ｅと、差込片２ａと、差込側段差２ｈと、着差込側２ｊと、覆差込側２ｌとにより差込部２を構成し、
ｋ．そして前記の、嵌合側面３ｇと、嵌合底面３ｅと、嵌合底端３ｄと、嵌合折片３ｂと、嵌合底溝３ｆと、釘打片３ａと、嵌合側段差３ｉと、着嵌合側３ｋと、着嵌合底３ｊと、覆嵌合底３ｌと、覆嵌合側３ｍとにより釘打部３を構成し、
ｌ．そして前記の、着面部１ｇと、着溝部１ｈと、着差込側２ｊと、着嵌合底３ｊと、着嵌合側３ｋとにより、着挿部１ｎを構成し、
ｍ．そして前記の、覆面部１ｉと、覆溝部１ｊと、覆差込側２ｌと、覆嵌合底３ｌと、覆嵌合側３ｍとにより、覆嵌部１ｏを構成する。
ｎ．そして前記の、着挿部１ｎにおいての、表面材１ａと、裏打材１ｋと、裏面紙１ｌとの端部は、及び、覆嵌部１ｏにおいての、表面材１ａと、裏打材１ｋと、裏面紙１ｌとの端部は、切断端１ｍを構成する。
【００２３】
Ｂ．図２４と図２５に示す、実施例５においての、建築用パネル１の施工は、実施例４とほぼ同様である。
【００２４】
【発明の効果】
上記のような、この発明による建築用パネルには、次の様な効果がある。
【００２５】
Ａ．長手方向の端部の少なくとも一方において、その差込折片と嵌合折片の金属板を、それぞれ、所定長さ分切り欠いた建築用パネルとする事により、
ａ．長手方向に接続したとき、接続する建築用パネルと、接続される建築用パネルの、
イ．互いの、それぞれの差込折片と嵌合折片、が干渉する事を防止でき、
ｂ．接続用部材を間に挟む必要が無くなり、
イ．建築用パネルの長手方向の意匠上の連続性が向上し、意匠性が向上し、
ロ．接続用部材を固定する位置の制約が無くなり、施工性が向上し、
ハ．接続位置に合わせて切断し、使用不能の短い建築用パネルを捨てることが無くなりコストが低減する。
【００２６】
Ｂ．所定長さ分切り欠いた残りの金属板の少なくとも一部を、その板厚程度クランク状に折り曲げた建築用パネルとする事により、
ａ．接続する建築用パネルと、接続される建築用パネルの接続部の段差を少なくし、
イ．接続部が目立たなくなり、意匠性が向上する。
【００２７】
Ｃ．前面基部側と差込折片との間と、前面基部側と嵌合折片との間の、少なくとも一方に、裏面紙の側端を挿入し、その間を裏打材により充填し、その差込折片と嵌合折片の金属板を、それぞれ、ほぼ切り欠いた所定長さ分について、裏面紙と裏打材を、剥がしたか、あるいは、欠いた建築用パネルとする事により、
ａ．裏面紙を前面基部側と差込折片との間と、前面基部側と嵌合折片との間で、抑えて、
イ．硬質発泡ウレタン等の裏打材の発泡成形時の漏れを防止できて、
ロ．生産性が向上し、
ｂ．裏打材を充填する事により、
イ．強度が向上し、断熱性が向上し、遮音性等が向上し、
ロ．建築用パネルとして性能が向上する。
【００２８】
Ｄ．前面基部が、ほぼ平坦で細長い前面部と、その前面部から裏面側に凹んだ細長い溝部とから構成する建築用パネルとする事により、
ａ．長手方向の縞模様の意匠が強調されて
イ．意匠性が向上し、
ｂ．長手方向の強度が向上し、
イ．取り扱い時の折れ曲がりが防止できて、
ロ．施工性が向上する。
【図面の簡単な説明】
【図１】実施例１の建築用パネルの一部省略斜視図
【図２】実施例１の建築用パネルの一部省略斜視図
【図３】実施例１の建築用パネルの一部省略端面図
【図４】実施例１の建築用パネルの施工状態を示す一部省略斜視図
【図５】実施例１の建築用パネルの施工状態を示す一部省略端面図
【図６】実施例２の建築用パネルの一部省略斜視図
【図７】実施例２の建築用パネルの一部省略斜視図
【図８】実施例２の建築用パネルの一部省略端面図
【図９】実施例２の建築用パネルの施工状態を示す一部省略斜視図
【図１０】実施例２の建築用パネルの施工状態を示す一部省略端面図
【図１１】実施例３の建築用パネルの一部省略斜視図
【図１２】実施例３の建築用パネルの一部省略端面図
【図１３】実施例３の建築用パネルの一部省略端面図
【図１４】実施例３の建築用パネルの施工状態を示す一部省略斜視図
【図１５】実施例３の建築用パネルの施工状態を示す一部省略端面図
【図１６】実施例４の建築用パネルの一部省略斜視図
【図１７】実施例４の建築用パネルの一部省略斜視図
【図１８】実施例４の建築用パネルの一部省略端面図
【図１９】実施例４の建築用パネルの施工状態を示す一部省略斜視図
【図２０】実施例４の建築用パネルの施工状態を示す一部省略端面図
【図２１】実施例５の建築用パネルの一部省略斜視図
【図２２】実施例５の建築用パネルの一部省略斜視図
【図２３】実施例５の建築用パネルの一部省略端面図
【図２４】実施例５の建築用パネルの施工状態を示す一部省略斜視図
【図２５】実施例５の建築用パネルの施工状態を示す一部省略端面図
【符号の説明】
１  建築用パネル
２  差込部
３  釘打部
４  金属板
５  発泡合成樹脂
【図１】
2004251086.tif 000003
【図２】
2004251086.tif 000004
【図３】
2004251086.tif 000005
【図４】
2004251086.tif 000006
【図５】
2004251086.tif 000007
【図６】
2004251086.tif 000008
【図７】
2004251086.tif 000009
【図８】
2004251086.tif 000010
【図９】
2004251086.tif 000011
【図１０】
2004251086.tif 000012
【図１１】
2004251086.tif 000013
【図１２】
2004251086.tif 000014
【図１３】
2004251086.tif 000015
【図１４】
2004251086.tif 000016
【図１５】
2004251086.tif 000017
【図１６】
2004251086.tif 000018
【図１７】
2004251086.tif 000019
【図１８】
2004251086.tif 000020
【図１９】
2004251086.tif 000021
【図２０】
2004251086.tif 000022
【図２１】
2004251086.tif 000023
【図２２】
2004251086.tif 000024
【図２３】
2004251086.tif 000025
【図２４】
2004251086.tif 000026
【図２５】
2004251086.tif 000027